(57)【要約】【課題】  撮影した写真をシール紙だけでなく、カラーコピーが可能な用紙にもプリント可能とすることで、利便性のよい写真撮影プリント装置を提供する。【解決手段】  被写体を写真撮影するＣＣＤカメラ１４と、ＣＣＤカメラ１４によって撮影された写真を編集する制御装置４と、編集された写真をシールプリントとしてプリントする第１プリンタ３３と、編集された写真をカラーコピーとしてプリントする第２プリンタ３４と、上記第１プリンタ３３と第２プリンタ３４の少なくとも一方のプリンタを駆動させるプリント制御部としての制御装置４を備える。これにより、利用者にとって利便性のよい写真撮影プリント装置となる。【選択図】  図１
2006001197.tif 000002
【特許請求の範囲】
【請求項１】
被写体を写真撮影する撮影用カメラと、
上記撮影用カメラによって撮影された写真を編集する写真編集部と、
上記写真編集部において編集された写真を、主にシールプリントとしてプリントする第１プリンタと、
上記写真編集部において編集された写真を、主にカラーコピーとしてプリントする第２プリンタと、
上記第１プリンタと第２プリンタの少なくとも一方のプリンタを駆動させるプリント制御部とを備えていることを特徴とする写真撮影プリント装置。
【請求項２】
上記プリント制御部は、
上記第１プリンタと第２プリンタとを同時に駆動させること特徴とする請求項１に記載の写真撮影プリント装置。
【請求項３】
上記プリント制御部は、
上記第２プリンタを駆動させるとき、該第２プリンタに対して、予め設定された印刷パターンを使用してカラープリントを行わせることを特徴とする請求項１または２に記載の写真撮影プリント装置。
【請求項４】
上記印刷パターンとして、
画像を所定サイズの大きさの用紙に拡大して印刷するための第１印刷パターンと、
画像以外に文章欄を設け所定サイズの大きさに印刷するための第２印刷パターンと、
所定サイズの用紙の中心に画像を配置し、該用紙の端を装飾して印刷するための第３印刷パターンと、
所定サイズの用紙の見開き両面に画像を印刷するための第４印刷パターンとを含んでいることを特徴とする請求項３に記載の写真撮影プリント装置。
【請求項５】
被写体を写真撮影する写真撮影ステップと、
撮影した写真を編集する写真編集ステップと、
編集した写真を、主にシールプリントを行う第１プリント方式と主にカラーコピーを行う第２プリント方式との少なくとも一方のプリント方式によってプリントする写真プリントステップとを含んでいることを特徴とする写真撮影プリント方法。
【請求項６】
上記写真プリントステップは、
第２プリント方式によって編集写真をプリントする場合、予め設定された印刷パターンによってプリントすることを特徴とする請求項５に記載の写真撮影プリント方法。
【請求項７】
上記印刷パターンとして、
画像を所定サイズの大きさの用紙に拡大して印刷するための第１印刷パターンと、
画像以外に文章欄を設け所定サイズの大きさに印刷するための第２印刷パターンと、
所定サイズの用紙の中心に画像を配置し、該用紙の端を装飾して印刷するための第３印刷パターンと、
所定サイズの用紙の見開き両面に画像を印刷するための第４印刷パターンとを含んでいることを特徴とする請求項６に記載の写真撮影プリント方法。
【発明の詳細な説明】
【技術分野】
【０００１】
本発明は、利用者の写真撮影を行うとともに、その写真を背景画像などと合成した上でプリント出力する写真撮影プリント装置及び写真撮影プリント方法に関するものである。
【背景技術】
【０００２】
従来、例えばゲームセンターなどの娯楽施設において、利用者の写真撮影を行うとともに、その写真を背景画像などと合成した上でシールプリントとして出力する写真撮影プリント装置が設置されており、人気を博している。
【０００３】
この種の写真プリント装置では、硬貨投入、撮影処理、編集（落書き）処理、シール印刷という処理の流れになっており、一連の操作を終了した利用者は、投入した硬貨に対する成果物であるシールプリントを受け取ることによってプレイを終了することになる。
【０００４】
また、従来の写真プリント装置では、硬貨投入後に利用者は主に多人数で筐体内に設置されたＣＣＤ(Charge Coupled Device) カメラで利用者自身を撮影し、記録された画像を液晶パネル上で付属のペン等を用いて所定または任意の文字や図形等を書き込んで編集を行い、個性的な画像を作成してシール紙に分割印刷するものがある（例えば、特許文献１）。
【０００５】
通常は、１回の利用でシール紙１枚が作成される。その後、シールは友人や知人と交換され、手帳等に貼り付けてアルバムのようにしたり、ポストカード等に貼り付けたりして利用される。そのため、シールは撮影した人数で分け合ったり、コンビニエンスストア等へ行ってカラーコピーしたりする。
【０００６】
また、従来の写真プリント装置のなかには、硬貨を追加投入することで、同じシール紙を追加プリントできるものがある（例えば、特許文献２）。
【特許文献１】特開２００３−６１０１５（平成１５年２月２８日公開）
【特許文献２】特開２００２−１９００６３（平成１４年７月５日公開）
【発明の開示】
【発明が解決しようとする課題】
【０００７】
しかしながら、上記特許文献２においては、シール紙印刷用のプリンタが１台のみであるので、追加プリントされるのはシール紙となる。このため従来の写真撮影プリント装置では、プリントされたシール紙をシールとして利用するしかなく、他の用途に使用しょうとすれば、シール紙をコピーしたり、シール紙を台紙に貼り付けたりする等しなければならず、利便性の悪いものとなっている。
【０００８】
本発明は、上記の各課題を鑑みなされたものでって、その目的は、撮影した写真をシール紙だけでなく、カラーコピーが可能な用紙にプリント可能とすることで、利便性のよい写真撮影プリント装置及び写真撮影プリント方法を提供することにある。
【課題を解決するための手段】
【０００９】
本発明に係る写真撮影プリント装置は、上記課題を解決するために、被写体を写真撮影する撮影用カメラと、上記撮影用カメラによって撮影された写真を編集する写真編集部と、上記写真編集部において編集された写真を、主にシールプリントとしてプリントする第１プリンタと、上記写真編集部において編集された写真を、主にカラーコピーとしてプリントする第２プリンタと、上記第１プリンタと第２プリンタの少なくとも一方のプリンタを駆動させるプリント制御部とを備えていることを特徴としている。
【００１０】
上記の構成によれば、主にシールプリントを行う第１プリンタと、主にカラーコピーを行う第２プリンタとを備えているので、編集された写真をシール紙以外のカラーコピーとしてプリントすることができる。
【００１１】
これにより、カラーコピーをシール以外の用途、例えば保存用途に使用すれば、従来のようにシールを台紙に貼り付ける必要がなくなる。しかも、シールを台紙に貼り付けた場合に感じる違和感を低減させることができる。
【００１２】
従って、利用者にとって利便性のよい写真撮影プリント装置を提供することができる。
【００１３】
また、上記第１プリンタと第２プリンタとが何れもシールプリントを行うようにしてもよい。逆に、上記第１プリンタと第２プリンタとが何れもカラーコピーを行うようにしてもよい。
【００１４】
上記プリント制御部によって、上記第１プリンタと第２プリンタとを同時に駆動させてもよい。
【００１５】
この場合、少なくとも２台のプリンタが同時に駆動することになるので、プリント効率の向上を図ることができる。
【００１６】
上記プリント制御部によって、上記第２プリンタを駆動させるとき、該第２プリンタに対して、予め設定された印刷パターンを使用してカラープリントを行わせるようにしてもよい。
【００１７】
この場合、設定した印刷パターンの分だけ、多種多様な印刷パターンでカラープリントすることが可能となる。
【００１８】
具体的な上記印刷パターンとして、画像を所定サイズの大きさの用紙に拡大して印刷するための第１印刷パターンと、画像以外に文章欄を設け所定サイズの大きさに印刷するための第２印刷パターンと、所定サイズの用紙の中心に画像を配置し、該用紙の端を装飾して印刷するための第３印刷パターンと、所定サイズの用紙の見開き両面に画像を印刷するための第４印刷パターンとを含んでいてもよい。
【００１９】
このようにすれば、利用者は、所望する印刷パターンによってカラープリントすることができる。
【００２０】
本発明の写真撮影プリント方法は、上記の各課題を解決するために、被写体を写真撮影する写真撮影ステップと、撮影した写真を編集する写真編集ステップと、編集した写真を、シールプリントを主に行う第１プリント方式とカラーコピーを主に行う第２プリント方式との少なくとも一方のプリント方式によってプリントする写真プリントステップとを含んでいることを特徴としている。
【００２１】
上記の構成によれば、写真プリントステップにおいて、第１プリント方式と第２プリント方式の少なくとも一方のプリント方式によって編集写真のプリントを行うようになっているので、（１）第１プリント方式のみによる編集写真のプリントと、（２）第２プリント方式のみによる編集写真のプリントと、（３）第１プリント方式と第２プリント方式の両方による編集写真のプリントとを実行することができる。
【００２２】
これにより、利用者は、上記の（１）〜（３）の何れかのプリントを選択することが可能となる。
【００２３】
従って、利用者が第１プリント方式と第２プリント方式の両方を実行することを希望した場合、上記の（３）を選択すれば第１プリント方式によるプリントと第２プリント方式によるプリントとが並行して実行されるようになるので、プリント効率を向上させることができる。
【００２４】
ここで、上記第１プリント方式をシールプリント方式とし、上記第２プリント方式をカラーコピー方式とした場合、利用者は、シールプリントが終了した時点で、追加プリントの必要性を感じた場合に、同じシールプリント方式でプリントしてもよいが、シール機能が必要でなければカラーコピー方式でプリントとしてもよい。
【００２５】
上記写真プリントステップにおいて、第２プリント方式によって編集写真をプリントする場合、予め設定された印刷パターンによってプリントするようにしてもよい。
【００２６】
この場合、設定した印刷パターンの分だけ、多種多様な印刷パターンでカラープリントすることが可能となる。
【００２７】
具体的な上記印刷パターンとして、画像を所定サイズの大きさの用紙に拡大して印刷するための第１印刷パターンと、画像以外に文章欄を設け所定サイズの大きさに印刷するための第２印刷パターンと、所定サイズの用紙の中心に画像を配置し、該用紙の端を装飾して印刷するための第３印刷パターンと、所定サイズの用紙の見開き両面に画像を印刷するための第４印刷パターンとを含んでいてもよい。
【発明の効果】
【００２８】
本発明に係る写真撮影プリント装置は、以上のように、撮影用カメラと、写真編集部と、第１プリンタと、第２プリンタと、プリント制御部との有機的な結合により、カラーコピーをシール以外の用途、例えば保存用途に使用すれば、従来のようにシールを台紙に貼り付ける必要がなくなる。しかも、シールを台紙に貼り付けた場合に感じる違和感を低減させることができる。
【００２９】
従って、利用者にとって利便性のよい写真撮影プリント装置を提供することができる。
【００３０】
さらに、１つの筐体でシールプリントとカラーコピーの２種類の機能があるため、カラーコピーだけのためにコンビニエンスストア等へ行く必要がなくなる。また、画像はデータで扱われるため、シール紙をカラーコピー機でコピーするよりも、画像の劣化(印刷ズレや色調の変化等)を起こし難いという効果を奏する。
【発明を実施するための最良の形態】
【００３１】
本発明の実施の一形態について説明すれば、以下の通りである。
【００３２】
本実施の形態にかかる写真撮影プリント装置は、利用者の写真を撮影する機能（撮影機能）、撮影した写真に対して落書きなどの編集を利用者に行わせる機能（編集機能）、及び編集された画像をプリントする機能（プリント機能）を備えているものである。
【００３３】
すなわち、上記写真撮影プリント装置は、図２に示すように、写真撮影、写真編集、写真プリントの各機能を実現するための構成要素が格納された装置本体１００と、該装置本体１００の前面部１００ａ側に設けられた撮影空間２００とで構成されている。
【００３４】
上記装置本体１００の前面部１００ａには、主に、撮影処理に必要な、撮影手段としてのＣＣＤ(Charge Coupled Device) カメラ１４と、利用者が操作する操作パネルとなる第１モニタ１２と、撮影状態を利用者に確認させるための第２モニタ１３と、利用者が写真プリント装置を利用する際に硬貨を投入するための第１硬貨投入口１６とが設けられている。
【００３５】
さらに、上記装置本体１００の前面部１００ａの下方には、利用者に対して各種操作上のガイダンス音声や効果音、ＢＧＭ（back ground music）などを出力するためのスピーカ１７・１７が設けられている。
【００３６】
また、上記装置本体１００の側面１００ｂには、主に、編集処理に必要な、タッチペンからなる第２入力手段２１と、編集画面を利用者に確認させるための第３モニタ２２とが設けられている。
【００３７】
さらに、上記装置本体１００の背面１００ｃには、図３に示すように、主に、印刷処理に必要な、印刷確認用の画面を利用者に確認させるための第４モニタ３２と、利用者が必要に応じて硬貨を投入するための第２硬貨投入口３５と、撮影処理されたシール紙を排出するためのシール紙排出口１０１と、撮影処理された画像のカラーコピーを排出するためのカラーコピー排出口１０２とが設けられている。
【００３８】
なお、図４に示すように、装置本体１００の背面１００ｃには、図３に示すような第２硬貨投入口３５を設けなくてもよい。この場合には、図２に示す装置本体１００の前面部１００ａに設けられた第１硬貨投入口１６から追加の硬貨を投入するようにすればよい。
【００３９】
次に、上記写真撮影プリント装置の機能的な構成について、図１に示すブロック図を参照しながら説明する。
【００４０】
上記写真撮影プリント装置は、図１に示すように、撮影処理装置１、編集処理装置２、印刷処理装置３、制御装置４、記憶装置５を備えた構成となっている。
【００４１】
上記制御装置４は、撮影処理装置１、編集処理装置２、印刷処理装置３、記憶装置５を制御するものであり、メイン制御手段として機能している。この制御装置４には、各装置からの信号が入力されると共に、各装置へ制御信号を出力するようになっている。つまり、制御装置４は、後述する各種処理における処理手段を実現するものである。例えば、撮影した写真を編集するための写真編集部としての機能を有し、また、後述する第１プリンタ３３や第２プリンタ３４への印刷データの出力制御を行うプリント制御部としての機能も有している。
【００４２】
上記撮影処理装置１は、第１入力手段１１、第１モニタ１２、第２モニタ１３、ＣＣＤカメラ１４、照明装置１５、第１硬貨投入口１６を備えている。
【００４３】
上記第１入力手段１１は、タッチパネル用の入力手段であり、入力信号を制御装置４に出力するようになっている。
【００４４】
上記第１モニタ１２は、本写真撮影プリント装置を使用する上での操作パネルとして用いられものであり、タッチパネル式の液晶モニタからなっている。この第１モニタ１２には、制御装置４からＲＧＢ信号（情報信号）が入力されるようになっている。この第１モニタ１２におけるタッチ入力手段は、上記第１入力手段１１が使用される。
【００４５】
つまり、第１モニタ１２に表示された画面情報を利用者自らの指によってタッチすることにより、制御装置４に操作に関する情報を含む入力信号が入力される。
【００４６】
また、上記第２モニタ１３は、利用者が撮影状態を確認するためのモニタであり、液晶モニタからなっている。ここでは、ＣＣＤカメラ１４によって撮影された画像を表示するようになっている。この第２モニタ１３には、制御装置４からＲＧＢ信号（撮影画像）が入力されるようになっている。
【００４７】
上記ＣＣＤカメラ１４は、撮影空間２００に居る利用者を撮影するためのカメラであり、制御装置４からのシャッター制御信号が入力されることによりシャッター切るようになっている。そして、ＣＣＤカメラ１４は、撮影した画像データを制御装置４に出力するようになっている。
【００４８】
また、上記照明装置１５は、上記ＣＣＤカメラ１４で写真撮影を行う際の照明手段として機能するものであり、制御装置４からの制御信号に基づいて駆動制御される。
【００４９】
さらに、第１硬貨投入口１６は、本写真撮影プリント装置を利用する際に利用者が利用料としての硬貨を投入するための投入口であり、この投入口に硬貨が投入されると、図示しないスイッチが入り、本写真撮影プリント装置を起動させるための起動信号を制御装置４に出力するようになっている。
【００５０】
上記構成の撮影処理装置１によって撮影処理された後、上記編集処理装置２によって、撮影画像に対する編集処理が行われる。
【００５１】
上記編集処理装置２は、上述した第２入力手段２１および第３モニタ２２を備えている。
【００５２】
上記第２入力手段２１からは、入力信号が制御装置４に出力され、上記第３モニタ２２には、ＲＧＢ信号（画像情報）が制御装置４から入力されるようになっている。上記第３モニタ２２には、撮影された画像を編集作業が行えるように表示される。ここで、第３モニタ２２は、上記第１モニタ１２と同様に、タッチパネル方式の液晶パネルであり、利用者は指の代わりにタッチペンを第２入力手段２１として使用している。つまり、利用者は、タッチペンを用いて第３モニタ２２に表示されている撮影画像を編集する。
【００５３】
上記構成の編集処理装置２によって編集処理された後、上記印刷処理装置３によって、編集画像に対する出力処理が行われる。
【００５４】
上記印刷処理装置３は、上述した第３入力手段３１、第４モニタ３２、第１プリンタ３３、第２プリンタ３４、第２硬貨投入口３５を備えている。
【００５５】
上記第３入力手段３１からは、入力信号が制御装置４に出力され、上記第４モニタ３２には、ＲＧＢ信号（画像情報）が制御装置４から入力されるようになっている。上記第４モニタ３２には、印刷しようとする画像が表示される。ここで、第４モニタ３２は、上記第１モニタ１２と同様に、タッチパネル方式の液晶パネルであり、利用者は指をパネルをタッチすることで必要な情報を指示するようになっている。ここで、第３入力手段３１から制御装置４に出力される入力信号は、主に印刷指示の信号である。
【００５６】
上記第１プリンタ３３は、第４モニタ３２に表示された画像をシール紙として印刷するプリンタであり、主に、昇華型プリンタ、ＴＡ（Thermal Auto chrome)方式のプリンタ、カラーレーザプリンタ等が好適に用いられる。
【００５７】
上記第２プリンタ３４は、第４モニタ３２に表示された画像をカラーコピーとして印刷するプリンタであり、主に、インクジェットプリンタ、カラーレーザプリンタ等が好適に用いられる。なお、この第２プリンタ３４としては、メインのシールプリントの付加的なプリタとして位置付けされているので、要求されるスペックは、印刷品質が写真並、印刷速度が非常に早い、コストが安い、用紙として主にＡ４サイズが適用可能であればよく。このスペックを満たすプリンタであればどのようなプリンタであっても適用可能である。
【００５８】
これら第１プリンタ３３、第２プリンタ３４には、それぞれに印刷データが制御装置４から供給されるようになっている。これらプリンタへの印刷データの出力制御についての詳細は後述する。
【００５９】
さらに、第２硬貨投入口３５は、主に、第２プリンタ３４によるカラーコピーを選択する際に利用者が利用料としての硬貨を投入するための投入口であり、この投入口に硬貨が投入されると、図示しないスイッチが入り、本写真撮影プリント装置を起動させるための起動信号を制御装置４に出力するようになっている。
【００６０】
なお、制御装置４には、上述したように、記憶手段としての記憶装置５が接続されており、撮影処理装置１、編集処理装置２等によって設定された情報（設定情報）を保存するものであり、制御装置４によって必要に応じて保存した設定情報が読み出されるようになっている。
【００６１】
上記構成の写真撮影プリント装置における撮影から出力までの処理の流れについて、以下に説明する。
【００６２】
すなわち、上記写真撮影プリント装置では、図５に示すように、利用者による利用が開始したら、撮影処理を行い（ステップＳ１）、撮影処理した後の画像に対する編集処理を行い（ステップＳ２）、編集処理した後の画像に対する出力処理（プリント）（ステップＳ３）を行っている。
【００６３】
まず、上記ステップＳ１における撮影処理のサブルーチンについて、図６及び図７に示すフローチャートを参照しながら以下に説明する。ここで、図６は、図３に示すように、装置本体１００の背面１００ｃに第２硬貨投入口３５が形成された硬貨投入口が２箇所である場合のフローチャートであり、図７は、図４に示すように、装置本体１００の背面１００ｃに硬貨投入口が形成されていない硬貨投入口が１箇所である場合のフローチャートである。
【００６４】
始めに、硬貨投入口が２箇所ある場合について説明する。
【００６５】
図６に示すように、先ず、硬貨投入確認を行う（ステップＳ１１）。ここでは、制御装置４が、装置本体１００の前面部１００ａの第１硬貨投入口１６から投入された硬貨の確認を行っている。
【００６６】
次に、撮影コース選択画面表示を行わせる（ステップＳ１２）。ここでは、制御装置４が、上記第１硬貨投入口１６から硬貨が投入されることで生じた起動信号に基づいて、図１３に示すような撮影コース選択画面を、第１モニタ１２に表示させる。
【００６７】
図１３に示す撮影コース選択画面では、Ａ〜Ｃの３種類の撮影コースが選択できることを示している。Ａコースのノーマルは、普通に撮影する撮影コースを示し、Ｂコースの美白コースは、実際よりも肌を白く演出して撮影する撮影コースであり、Ｃコースの日焼コースは、実際よりも肌を黒く演出して撮影する撮影コースである。なお、これらコースは、上記のものに限定されるものではない。
【００６８】
ここで、第１モニタ１２は、タッチパネルなので、利用者は、表示されている３つのコースの何れかをタッチして撮影コースを選択することになる。
【００６９】
そして、撮影コースを選択した後、図１３に示すように、画面上の「次へ」をタッチすることにより、撮影が開始される（ステップＳ１３）。ここでは、制御装置４からＣＣＤカメラ１４に向かってシャッター制御信号を出力し、該ＣＣＤカメラ１４を駆動制御する。
【００７０】
次いで、撮影画像表示が行われる（ステップＳ１４）。ここでは、制御装置４が、ＣＣＤカメラ１４から撮影した画像のデータ（画像データ）を受け取り、第１モニタ１２に、例えば図１４に示すような撮影画像を表示させる。
【００７１】
この第１モニタ１２の表示画像を見て利用者は、保存するか消去するかをタッチして決定する。ここで、タッチした情報は、第１入力手段１１から制御装置４に入力信号として出力される
続いて、制御装置４は、画像保存するという信号が入力されたか否かを判断する（ステップＳ１５）。ここで、画像保存の信号が入力された場合、すなわち画像保存が行われた場合、制限時間内であるか、あるいは制限枚数内であるか否かが判断される（ステップＳ１６）。上記制限時間とは、撮影から保存までの制限時間を示し、上記制限枚数とは、保存可能枚数を示している。なお、本実施の形態では、上記制限時間を１８０秒、上記制限枚数を６枚としている。
【００７２】
ステップＳ１６において、制限時間内あるいは制限枚数内であると判断されれば、ステップＳ１３に移行して、再び撮影を行う。
【００７３】
一方、ステップＳ１６において、制限時間内あるいは制限枚数内でない、すなわち制限時間に達したか、あるいは制限枚数に達したと判断されば、撮影処理を終了し、次の編集処理に移行する。
【００７４】
また、上記のステップＳ１５において、制御装置４は、画像保存しないという信号が入力された場合、制限時間内であるか否かを判断する（ステップＳ１７）。ここで、制限時間内であると判断されれば、ステップＳ１３に移行して、再び撮影を行う。
【００７５】
一方、ステップＳ１７において、制限時間内でない、すなわち制限時間に達したと判断されれば、撮影処理を終了し、次の編集処理に移行する。
【００７６】
続いて、硬貨投入口が１箇所の場合の撮影処理の流れについて、図７に示すフローチャートを参照しながら以下に説明する。
【００７７】
まず、撮影コース選択画面表示が行われる（ステップＳ２１）。ここでは、第１モニタ１２に既に、図１３に示すような撮影コース選択画面が表示されており、利用者によって撮影コースが選択されるまで同じ画面が表示され続ける。
【００７８】
ここで、第１モニタ１２は、タッチパネルなので、利用者は、表示されている３つのコースの何れかをタッチして撮影コースを選択することになる。
【００７９】
そして、撮影コースを選択した後、図１３に示すように、画面上の「次へ」をタッチすることにより、図１５に示すようなカラーコピー選択画面を表示させる（ステップＳ２２）。
【００８０】
ここで、第１モニタ１２は、タッチパネルなので、利用者は、表示されている「する」、「しない」の何れかの領域をタッチしてカラーコピーを行うか否かを選択することになる。
【００８１】
次いで、カラーコピーを行うか否かが選択されれば、硬貨投入の確認を行う（ステップＳ２３）。ここでは、利用者が第１モニタ１２に表示された図１５に示すような画面において、「する」、「しない」の何れかの領域をタッチした場合には、図示しない硬貨投入を促す画面に切り換えて、利用者に硬貨投入を促す。
【００８２】
ステップＳ２３において、硬貨投入が確認されれば、ステップＳ２４に移行して実際の撮影処理が実行される。図７に示すステップＳ２４〜Ｓ２８までは、図６に示すステップＳ１３〜Ｓ１７に対応し、同じ処理を行っているので各ステップの説明は省略する。
【００８３】
なお、図６に示すフローチャートのステップＳ１６において、制限時間内、あるいは制限枚数内である場合には、ステップＳ１３に移行して撮影を再開するようになっているが、この場合、入力手段によって、次の処理を選択するように指示するようにしてもよい。つまり、残り時間があっても、また、残りの保存可能枚数があっても、次の処理に切り換えるようにしてもよい。
【００８４】
図７に示すフローチャートの場合にも同様のことが言える。すなわち、図７に示すフローチャートのステップＳ２７において、制限時間内、あるいは制限枚数内である場合には、ステップＳ２４に移行して撮影を再開するようになっているが、この場合、入力手段によって、次の処理を選択するように指示するようにしてもよい。つまり、残り時間があっても、また、残りの保存可能枚数があっても、次の処理に切り換えるようにしてもよい。
【００８５】
続いて、図５に示すステップＳ２の編集処理サブルーチンについて、図８に示すフローチャートを参照しながら以下に説明する。このサブルーチンでは、硬貨投入口の口数に関係無く同じ処理となっている。
【００８６】
まず、制御装置４は、撮影処理が終了した後、第１モニタ１２に、図１６に示すような編集画面を表示させる（ステップＳ３１）。この編集画面では、中央に撮影した画像を表示し、周囲に、撮影した全画像と、編集に使用する素材（ペン、フレーム、所定、色、スタンプ）が配置されている。そして、編集時間の残りを表示する領域と、次の処理を選択するための領域とが表示されている。
【００８７】
利用者は、第１モニタ１２に表示された編集画面に基づいて、編集用の素材を選択し、編集内容として、第１入力手段１１から制御装置４に出力される。
【００８８】
次に、制御装置４は、第１入力手段１１からの編集内容を受け付ける（ステップＳ３２）と共に、記憶装置５に編集内容を設定情報として保存する（ステップＳ３３）。
【００８９】
続いて、編集の制限時間内であるか否かを判断する（ステップＳ３４）。ここで、制限時間内であると判断されれば、ステップＳ３２に移行してさらに編集内容の受け付けを行う。
【００９０】
一方、ステップＳ３４において、制限時間内でない、すなわち制限時間に達したときには、編集処理を終了し、次の印刷処理に移行する。
【００９１】
なお、上記の編集処理では、制限時間内にあれば、自動的にステップＳ３２に移行し、さらなる編集内容を受け付けるようにしているが、これに限定しないで、例えば、図１６に示すように、表示画面の右下領域に表示された「次へ」をタッチすることで、制限時間内であっても次の印刷処理に移行するようにしてもよい。
【００９２】
最後に、図５に示すステップＳ３の印刷処理サブルーチンについて、図９〜図１２に示すフローチャートを参照しながら以下に説明する。なお、図９及び図１０に示すフローチャートは、前述した硬貨投入口が２箇所の場合の写真撮影プリント装置における処理の流れを示すものであり、図１１及び図１２に示すフローチャートは、前述の硬貨投入口が１箇所の場合の写真撮影プリント装置における処理の流れを示すものである。
【００９３】
始めに、硬貨投入口が２箇所の場合の写真撮影プリント装置における印刷処理について説明する。
【００９４】
まず、制御装置４は、編集処理が完了した時点で、第１モニタ１２に対して、図１７に示すような印刷画像の選択画面を表示させる（ステップＳ４１）。この選択画面では、編集処理において編集された６枚の画像が表示されている。また、選択画面の左上部の領域には、選択するための制限時間の残り時間が表示され、右下部の領域には、「次へ」が表示されている。利用者は、何れかの画像を選択し、「次へ」の領域をタッチすることで、次の処理画面に移行させる。このとき、選択された画像は一時的に記憶装置５に記憶される。
【００９５】
次いで、画像選択が完了すれば、制御装置４は、第１モニタ１２に対して、図１８に示すようなシール分割枚数の選択画面を表示させる（ステップＳ４２）。この選択画面では、４種類のシール分割パターンが表示されている。また、選択画面の左上部の領域には、選択するための制限時間の残り時間が表示され、右下部の領域には、「次へ」が表示されている。利用者は、何れかの画像を選択し、「次へ」の領域をタッチすることで、次の処理画面に移行させる。
【００９６】
続いて、制御装置４は、シール分割枚数が選択されれば、第１モニタ１２に対して、図１５に示すカラーコピー選択画面を表示させる（ステップＳ４３）。
【００９７】
利用者は、第１モニタ１２に表示された選択画面の「する」あるいは「しない」の何れかの領域をタッチする。すると、第１モニタ１２から第１入力手段１１を介して何れかの選択信号が制御装置４に出力される。
【００９８】
続いて、制御装置４は、上記選択信号に基づいてカラーコピーを行うか否かを判断する（ステップＳ４４）。ここで、カラーコピーを行わないと判断すれば、ステップＳ４５に移行して、第１プリンタ３３を駆動させてシール紙印刷を行わせる。
【００９９】
そして、印刷が完了したシール紙を、図３に示すシール紙排出口１０１から排出させ（ステップＳ４６）、全ての処理を完了する。
【０１００】
一方、ステップＳ４４において、カラーコピーを行うと判断されれば、図１０に示すフローチャートに基づいてカラーコピーが実行される。
【０１０１】
この場合、制御装置４は、第１モニタ１２において、図１５に示すカラーコピーの選択画面から、硬貨投入を促す画面（図示せず）を表示させ、利用者に硬貨投入を促す。そして、硬貨投入の確認を行う（ステップＳ５１）。
【０１０２】
続いて、硬貨投入の確認が完了すれば、第１モニタ１２に対して、図１７に示すような印刷画像の選択画面を表示させる（ステップＳ５２）。
【０１０３】
そして、印刷画像の選択が完了すれば、第１モニタ１２に対して、図１９に示すようなカラーコピー・パターン選択画面を表示させる（ステップＳ５３）。この図面では、４種類のパターン（ポスター風、ポストカードまたはメッセージカード、寄せ書き、プリ手帳）が表示されている。利用者は、いずれかのパターンをタッチして選択する。ここで、プリ手帳とは、自分で撮ったり友達と交換したりした写真シールを集めて貼り付け、アルバムのようにした写真シール専用の手帳である。
【０１０４】
例えば、ポスター風パターンは、１つの画像をＡ５用紙に拡大印刷するパターンである。このパターンの印刷結果は、例えば図２０に示すようになる。
【０１０５】
また、ポストカードまたはメッセージカードパターンは、画像以外に文章欄を設け、Ａ５用紙に葉書きサイズ２枚分、またはＡ５サイズ１枚分を印刷するパターンである。このパターンの印刷結果は、例えば図２１に示すようになる。
【０１０６】
また、寄せ書きパターンは、Ａ５用紙の中心に画像を配置し、用紙の端をフレーム等で装飾して印刷するパターンである。このパターンの印刷結果は、例えば図２２に示すようになる。
【０１０７】
さらに、プリ手帳パターンは、Ａ５用紙に手帳の見開き画像と、その左右両面に画像を印刷するパターンである。この印刷結果は、図２３に示すようになる。
【０１０８】
続いて、利用者が選択したコピーパターンに基づいて、カラーコピー用の第２プリンタ３４を駆動させてカラーコピーを実行する（ステップＳ５４）。
【０１０９】
引き続き、第２プリンタ３４によってカラーコピーされた用紙を、図３に示すカラーコピー排出口１０２から排出する（ステップＳ５５）。
【０１１０】
なお、上記の説明では、カラーコピー時のカラーコピー・パターンの確認などを全て第１モニタ１２において行い、カラーコピー時の硬貨投入においても第１硬貨投入口１６を使用した場合を想定しているが、これに限定されるものではない。
【０１１１】
例えば、図３に示すように、装置本体１００の背面１００ｃに設けられた第４モニタ３２にカラーコピー時の処理に必要な情報を表示させるようにしてもよい。また、カラーコピー時に追加投入する硬貨は、同じく、装置本体の背面１００ｃに設けられた第２硬貨投入口３５を利用するようにしてもよい。
【０１１２】
続いて、硬貨投入口が１箇所の場合の写真撮影プリント装置における印刷処理について、図１１及び図１２に示すフローチャートを参照しながら以下に説明する。なお、ここで説明する印刷処理は、硬貨投入口数が異なる以外、図９及び図１０に示す印刷処理とほぼ同じ処理となっている。
【０１１３】
すなわち、まず、制御装置４は、編集処理が完了した時点で、第１モニタ１２に対して、図１７に示すような印刷画像の選択画面を表示させる（ステップＳ６１）。この選択画面では、編集処理において編集された６枚の画像が表示されている。また、選択画面の左上部の領域には、選択するための制限時間の残り時間が表示され、右下部の領域には、「次へ」が表示されている。利用者は、何れかの画像を選択し、「次へ」の領域をタッチすることで、次の処理画面に移行させる。このとき、選択された画像は一時的に記憶装置５に記憶される。
【０１１４】
次いで、画像選択が完了すれば、制御装置４は、第１モニタ１２に対して、図１８に示すようなシール分割枚数の選択画面を表示させる（ステップＳ６２）。この選択画面では、４種類のシール分割パターンが表示されている。また、選択画面の左上部の領域には、選択するための制限時間の残り時間が表示され、右下部の領域には、「次へ」が表示されている。利用者は、何れかの画像を選択し、「次へ」の領域をタッチすることで、次の処理画面に移行させる。
【０１１５】
続いて、制御装置４は、シール分割枚数が選択されれば、カラーコピーを行うか否かを判断する（ステップＳ６３）。ここで、カラーコピーの判断は、図７に示す撮影処理サブルーチンのステップＳ２２において利用者が選択した選択信号に基づいて行われる。したがって、このステップＳ５３において、カラーコピーを行わないと判断すれば、ステップＳ６４に移行して、第１プリンタ３３を駆動させてシール紙印刷を行わせる。
【０１１６】
そして、印刷が完了したシール紙を、図４に示すシール紙排出口１０１から排出させ（ステップＳ６５）、全ての処理を完了する。
【０１１７】
一方、ステップＳ６３において、カラーコピーを行うと判断されれば、図１２に示すフローチャートに基づいてカラーコピーが実行される。
【０１１８】
この場合、図１２に示すステップＳ７１〜ステップＳ７４までは、前述した図１０に示すカラーコピーの処理を示すステップＳ５２〜ステップＳ５５までと同じである。異なるのは、硬貨投入口が１箇所の写真撮影プリント装置において、図７に示すように、カラーコピーを行うか否かを事前に確認にするようになっているので、その時に、シール印刷のみの料金あるいはカラーコピーのみの料金など、利用者の希望に沿った印刷の料金を既に払い込みを済ませている点である。つまり、硬貨投入口が２箇所の写真撮影プリント装置の場合には、このカラーコピー処理のとき、すなわち図１０に示すステップＳ６１の時点でカラーコピー用の硬貨の投入が行われる。
【０１１９】
したがって、図１２に示す処理では、制御装置４は、第１モニタ１２において、図１５に示すカラーコピーの選択画面から、図１７に示すような印刷画像の選択画面を切り換えて表示させる（ステップＳ７１）。
【０１２０】
そして、印刷画像の選択が完了すれば、第１モニタ１２に対して、図１９に示すようなカラーコピー・パターン選択画面を表示させる（ステップＳ７２）。この図面では、４種類のパターン（ポスター風、ポストカードまたはメッセージカード、寄せ書き、プリ手帳）が表示されている。利用者は、いずれかのパターンをタッチして選択する。
【０１２１】
例えば、ポスター風パターンは、１つの画像をＡ５用紙に拡大印刷するパターンである。このパターンの印刷結果は、例えば図２０に示すようになる。
【０１２２】
また、ポストカードまたはメッセージカードパターンは、画像以外に文章欄を設け、Ａ５用紙に葉書きサイズ２枚分、またはＡ５サイズ１枚分を印刷するパターンである。このパターンの印刷結果は、例えば図２１に示すようになる。
【０１２３】
また、寄せ書きパターンは、Ａ５用紙の中心に画像を配置し、用紙の端をフレーム等で装飾して印刷するパターンである。このパターンの印刷結果は、例えば図２２に示すようになる。
【０１２４】
さらに、プリ手帳パターンは、Ａ５用紙に手帳の見開き画像と、その左右両面に画像を印刷するパターンである。この印刷結果は、図２３に示すようになる。
【０１２５】
続いて、利用者が選択したコピーパターンに基づいて、カラーコピー用の第２プリンタ３４を駆動させてカラーコピーを実行する（ステップＳ７３）。
【０１２６】
引き続き、第２プリンタ３４によってカラーコピーされた用紙を、図４に示すカラーコピー排出口１０２から排出する（ステップＳ７４）。
【０１２７】
なお、上記の説明では、カラーコピー時のカラーコピー・パターンの確認などを全て第１モニタ１２において行い、カラーコピー時の硬貨投入においても第１硬貨投入口１６を使用した場合を想定しているが、これに限定されるものではない。
【０１２８】
例えば、図３に示すように、装置本体１００の背面１００ｃに設けられた第４モニタ３２にカラーコピー時の処理に必要な情報を表示させるようにしてもよい。また、カラーコピー時に追加投入する硬貨は、同じく、装置本体の背面１００ｃに設けられた第２硬貨投入口３５を利用するようにしてもよい。
【０１２９】
以上のように、本実施の形態に係る写真撮影プリント装置によれば、シールプリントのプログラムに加え、カラーコピー機能を選択できるプログラムを追加するようになっている。これにより、カラーコピー機能を選択・利用できるようになる。
【０１３０】
また、上記のプログラムを実現するために、シールプリント用の昇華型プリンタ（第１プリンタ３３）とは別に、カラーコピー専用のプリンタ（第２プリンタ３４）を内蔵させ、装置本体１００内に合計２台のプリンタを内蔵させている。このように、プリンタを２台にすることで印刷処理が短縮され、複数枚のコピーを短時間で作成できる。
【０１３１】
また、上記のカラーコピー専用のプリンタに、インクジェット型プリンタを採用する。これにより、カラーコピーをする場合、昇華型プリンタよりも高速でコストメリットを出しやすいという効果を奏する。
【０１３２】
そして、カラーコピーの種類（印刷パターン）を、図１９に示すような４パターン用意する。これにより、シール紙を別用途に利用する際、切り貼り等の作業を行う手間を省くことができる。また、好きな画像を拡大して印刷することで、写真として大きく保存できる。さらに、ポストカード等を用意する必要がなくなる。また、色紙等を用意する必要がなくなる。また、シールを手帳に張り替える必要がなくなる。さらに、他に設置されているカラーコピー機を使わずに、シールプリントと同時にカラーコピーをする利用者の増加が見込める。
【０１３３】
以上の構成により、カラーコピーする用紙の余白部分に、他社とタイアップしたクーポン券（割引券）を発行することで、さらに利用者の利便性を向上させる。この他社にもメリットがある。
【０１３４】
本実施の形態で示したように、シールが多く利用される用途（図１９に示すような用途）をフォーマット化（印刷パターン化）し、分割シールではなく利用するフォーマットに画像を印刷するようにしているので、利用者自身が切り貼り等の作業をしてシールを加工する手間を省くことができる。
【０１３５】
また、上記構成の写真撮影プリント装置によれば、１つの筐体１００にシールプリントとカラーコピーの２種類の機能があるため、カラーコピーだけのためにコンビニエンスストア等へ行く必要がなくなる。また、画像はデータで扱われるため、シール紙をカラーコピー機でコピーするよりも、画像の劣化(印刷ズレや色調の変化等)を起こし難いというメリットを有する。
【０１３６】
本発明は上述した実施形態および実施例に限定されるものではなく、請求項に示した範囲で種々の変更が可能である。すなわち、請求項に示した範囲で適宜変更した技術的手段を組み合わせて得られる実施形態および実施例についても本発明の技術的範囲に含まれる。
【産業上の利用可能性】
【０１３７】
本発明は、例えば、ゲームセンターなどの娯楽施設や遊戯施設において、利用者の写真撮影を行うとともに、その写真を背景画像などと合成した上でシールプリントとして出力する写真撮影プリント装置一般に利用することができる。
【図面の簡単な説明】
【０１３８】
【図１】本発明の実施形態を示すものであり、写真撮影プリント装置の要部構成を示すブロック図である。
【図２】本実施形態に係る写真撮影プリント装置の正面側から見た概略斜視図である。
【図３】本実施形態に係る写真撮影プリント装置の背面側から見た概略視野図である。
【図４】本実施形態に係る写真撮影プリント装置の背面側から見た他の概略斜視図である。
【図５】本実施形態に係る写真撮影プリント装置における処理全体の流れを示すフローチャートである。
【図６】図５に示した撮影処理のサブルーチンの流れを示すフローチャートである。
【図７】図５に示した撮影処理のサブルーチンの他の流れを示すフローチャートである。
【図８】図５に示した編集処理のサブルーチンの流れを示すフローチャートである。
【図９】図５に示したプリント処理のサブルーチンの流れを示すフローチャートである。
【図１０】図９に示したプリント処理のなかのカラーコピーの処理の流れを示すフローチャートである。
【図１１】図５に示したプリント処理のサブルーチンの他の流れを示すフローチャートである。
【図１２】図１１に示したプリント処理のなかのカラーコピーの処理の流れを示すフローチャートである。
【図１３】撮影コース選択画面を示す図である。
【図１４】画像保存選択画面を示す図である。
【図１５】カラーコピー選択画面を示す図である。
【図１６】編集画面を示す図である。
【図１７】印刷画像選択画面を示す図である。
【図１８】シール分割数選択画面を示す図である。
【図１９】カラーコピーの種類選択画面を示す図である。
【図２０】ポスター風パターンでカラーコピーした印刷例を示す図である。
【図２１】ポストカードパターンでカラーコピーした印刷例を示す図である。
【図２２】寄せ書きパターンでカラーコピーした印刷例を示す図である。
【図２３】プリ手帳パターンでカラーコピーした印刷例を示す図である。
【符号の説明】
【０１３９】
１  撮影処理装置
２  編集処理装置
３  印刷処理装置
４  制御装置（編集処理部、プリント制御部）
５  記憶装置
１１  第１入力手段
１２  第１モニタ
１３  第２モニタ
１４  ＣＣＤカメラ（撮影用カメラ）
１５  照明装置
１６  第１硬貨投入口
１７  スピーカ
２１  第２入力手段
２２  第３モニタ
３１  第３入力手段
３２  第４モニタ
３３  第１プリンタ（第１プリント装置）
３４  第２プリンタ（第２プリント装置）
３５  第２硬貨投入口
１００  装置本体
１００ａ  前面部
１００ｂ  側面
１００ｃ  背面
１０１  シール紙排出口
１０２  カラーコピー排出口
２００  撮影空間
【図１】
2006001197.tif 000003
【図２】
2006001197.tif 000004
【図３】
2006001197.tif 000005
【図４】
2006001197.tif 000006
【図５】
2006001197.tif 000007
【図６】
2006001197.tif 000008
【図７】
2006001197.tif 000009
【図８】
2006001197.tif 000010
【図９】
2006001197.tif 000011
【図１０】
2006001197.tif 000012
【図１１】
2006001197.tif 000013
【図１２】
2006001197.tif 000014
【図１３】
2006001197.tif 000015
【図１４】
2006001197.tif 000016
【図１５】
2006001197.tif 000017
【図１６】
2006001197.tif 000018
【図１７】
2006001197.tif 000019
【図１８】
2006001197.tif 000020
【図１９】
2006001197.tif 000021
【図２０】
2006001197.tif 000022
【図２１】
2006001197.tif 000023
【図２２】
2006001197.tif 000024
【図２３】
2006001197.tif 000025